(57)【要約】【課題】  出力する記録紙のサイズを指定する作業をユーザに課すことなく、原稿と同一サイズの記録紙に原稿画像を印刷する画像形成装置を提供する。【解決手段】  操作部１４を介して入力されたユーザによる操作指令に基づいて、読取り対象となる原稿のサイズを設定する原稿サイズ設定部２８と、原稿を読取り原稿画像を取得する原稿画像取得部１１と、操作部１４を介して入力されたユーザによる操作指令に基づいて、原稿画像の倍率を設定する倍率設定部２２と、原稿サイズ設定部２８により設定された原稿のサイズと同一サイズの記録紙を選定し、選定した記録紙を印刷部１５へと搬送させる記録紙選定部２５と、倍率設定部２２により設定された倍率で原稿画像のサイズを変更する原稿サイズ変更部２３と、サイズが変更された原稿画像を、記録紙選定部２５により選定されたサイズの記録紙に印刷させるように印刷部１５を制御する印刷制御部２７とを備える。【選択図】      図２
2006208969.tif 000002
【特許請求の範囲】
【請求項１】
読取り対象となる原稿を読取って原稿画像を取得する画像取得手段と、
ユーザからの操作指令に基づいて、記録紙に印刷される原稿画像の倍率を設定し、設定した倍率により原稿画像のサイズを変更するサイズ変更手段と、
ユーザの操作指令に基づいて、読取り対象となる原稿のサイズを設定する原稿サイズ設定手段と、
予め定められたサイズの異なる複数種類の記録紙の中から、原稿画像を印刷する記録紙を選定する記録紙選定手段と、
前記サイズ変更手段によりサイズが変更された原稿画像を前記記録紙選定手段により選定された記録紙に印刷する印刷手段と、
ユーザの操作指令に基づいて、前記倍率設定手段によって設定された原稿画像の倍率に関わらず、前記原稿と同一サイズの記録紙に原稿画像を印刷する原稿同一サイズモードに動作モードを設定するモード設定手段とを備え、
前記記録紙選定手段は、前記モード設定手段により前記原稿同一サイズモードが設定されている場合、前記原稿サイズ設定手段により設定されたサイズと同一サイズの記録紙を、原稿画像を印刷する記録紙として選定することを特徴とする画像形成装置。
【請求項２】
前記記録紙選定手段は、前記原稿サイズ設定手段が設定した原稿と同一サイズの記録紙が存在しない場合、当該サイズに最も近いサイズの記録紙を、原稿画像を印刷する記録紙として選定することを特徴とする請求項１記載の画像形成装置。
【請求項３】
前記サイズ変更手段によりサイズが変更された原稿画像を前記記録紙選定手段により選定された記録紙に印刷した状態を示すプレビュー画像を印刷前に表示する表示手段を更に備えることを特徴とする請求項１又は２記載の画像形成装置。
【発明の詳細な説明】
【技術分野】
【０００１】
本発明は、複写機等の画像形成装置に関するものである。
【背景技術】
【０００２】
従来より複写機等の画像形成装置においては、設定した倍率にかかわらず、読取り対象の原稿を当該原稿と同一サイズの記録紙にコピーさせる使用態様が存在する。また、特許文献１には、設定された倍率に応じて最適なサイズの記録紙を出力する記録紙として自動的に選定する技術が開示されている。
【特許文献１】特開平１−１６１２６５号公報
【発明の開示】
【発明が解決しようとする課題】
【０００３】
しかしながら、従来の技術では、設定された倍率に応じて最適なサイズの記録紙が出力する記録紙として自動的に選定されるため、読取り対象の原稿と同一サイズの記録紙に原稿画像を印刷させる場合、ユーザは出力する記録紙のサイズを設定する作業が必要となっていた。そのため、ユーザに対する操作負担が大きいという問題があった。
【０００４】
本発明の目的は、出力する記録紙のサイズを指定する作業をユーザに課すことなく、原稿と同一サイズの記録紙に原稿画像を印刷する画像形成装置を提供することである。
【課題を解決するための手段】
【０００５】
本発明による画像形成装置は、読取り対象となる原稿を読取って原稿画像を取得する画像取得手段と、ユーザからの操作指令に基づいて、記録紙に印刷される原稿画像の倍率を設定し、設定した倍率により原稿画像のサイズを変更するサイズ変更手段と、ユーザの操作指令に基づいて、読取り対象となる原稿のサイズを設定する原稿サイズ設定手段と、予め定められたサイズの異なる複数種類の記録紙の中から、原稿画像を印刷する記録紙を選定する記録紙選定手段と、前記サイズ変更手段によりサイズが変更された原稿画像を前記記録紙選定手段により選定された記録紙に印刷する印刷手段と、ユーザの操作指令に基づいて、前記倍率設定手段によって設定された原稿画像の倍率に関わらず、前記原稿と同一サイズの記録紙に原稿画像を印刷する原稿同一サイズモードに動作モードを設定するモード設定手段とを備え、前記記録紙選定手段は、前記モード設定手段により前記原稿同一サイズモードが設定されている場合、前記原稿サイズ設定手段により設定されたサイズと同一サイズの記録紙を、原稿画像を印刷する記録紙として選定することを特徴とする。
【０００６】
また、上記構成において、前記記録紙選定手段は、前記原稿サイズ設定手段が設定した原稿と同一サイズの記録紙が存在しない場合、当該サイズに最も近いサイズの記録紙を、原稿画像を印刷する記録紙として選定することが好ましい。
【０００７】
また、上記構成において、前記サイズ変更手段によりサイズが変更された原稿画像を前記記録紙選定手段により選定された記録紙に印刷した状態を示すプレビュー画像を印刷前に表示する表示手段を更に備えることが好ましい。
【発明の効果】
【０００８】
請求項１記載の発明によれば、ユーザにより原稿のサイズが設定されると、設定されたサイズと同一サイズの記録紙に原稿画像が印刷されるため、ユーザは別途記録紙のサイズを設定する作業を行わなくとも、原稿と同一サイズの記録紙に原稿画像を印刷させることができる。また、原稿のサイズを設定することにより、実際に読取られる原稿とは異なるサイズであって、所望するサイズの記録紙に原稿画像を印刷させることができる。
【０００９】
請求項２記載の発明によれば、ユーザにより設定された原稿のサイズと同一サイズの記録紙が存在しない場合（用紙切れを起こしている場合、或いは当該サイズの記録紙を収納する給紙カセットを備えていない場合等）、当該サイズに最も近いサイズの記録紙が、原稿画像を印刷する記録紙として選定されるため、ユーザが満足するサイズの記録紙に原稿画像が印刷される可能性を高めることができる。
【００１０】
請求項３記載の発明によれば、倍率が変更された原稿画像を記録紙に印刷した状態を示すプレビュー画像が印刷前にユーザに提示されるため、ユーザは、原稿画像のどの部分が記録紙からはみ出るかを事前に確認することができ、コピーミスを防ぐことができる。
【発明を実施するための最良の形態】
【００１１】
以下、図面を参照しつつ本発明の実施の形態について説明する。図１は、本発明の実施の形態による画像形成装置の機械的構成を主に示す側面概略図である。本画像形成装置は、本体部２００と、本体部２００の左側に配設された用紙後処理部３００と、ユーザが種々の操作指令等を入力するための操作部４００と、本体部２００の上部に配設された原稿読取り部５００と、原稿読取り部５００の上方に配設された原稿給送部６００とから構成される。
【００１２】
操作部４００は、操作パネル４０１、スタートキー４０２及びテンキー４０３等を備える。操作パネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００１３】
原稿給送部６００は、原稿載置部６０１、原稿排出部６０２、給紙ローラ６０３及び原稿搬送部６０４、コンタクトガラス６０５、及び原稿検出センサ６０６、６０７等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。
【００１４】
スキャナ５０１は搬送される原稿を順次読取り、読取られた原稿は原稿排出部６０２に排出される。また、スキャナ５０１は、コンタクトガラス６０５に載置された原稿を読み取る場合は、Ａ方向にスライドして原稿を読み取る。原稿検出センサ６０６は、記録紙の幅方向（紙面と直交する方向）に一定の間隔を設け複数個配列されている。原稿検出センサ６０７は、コンタクトガラス６０５の裏面に複数個配列されている。
【００１５】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、排出トレイ２１０、記録紙搬送部２１１、残量センサ２１２等を備える。本実施の形態では、給紙カセット２０１は、それぞれ、異なるサイズの記録紙を収納する。残量センサ２１２は、各給紙カセット２０１に配設され、給紙カセット２０１に記録紙が存在しているか否かを検出する（用紙切れを検出する）。
【００１６】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー像を形成する。
【００１７】
中間転写体ローラ２０４は、感光体ドラム２０５から各色のトナー像が転写され、中間転写体ローラ２０４上にカラーのトナー像が形成される。
【００１８】
一方、給紙ローラ２０２は、記録紙が収納された給紙カセット２０１から記録紙を引き出し、記録紙搬送部２１１は、引き出された記録紙を転写ローラ２０３へと搬送する。転写ローラ２０３は、搬送された記録紙に中間転写体ローラ２０４上のトナー像を転写させる。トナー像が転写された記録紙は、記録紙搬送部２１１により定着ローラ２０８へと搬送され、定着ローラ２０８は、転写されたトナー像を加熱して記録紙に定着させる。その後、記録紙は、記録紙搬送部２１１により排出口２０９へと搬送され用紙後処理部３００に搬入される。また、記録紙は、必要に応じて排出トレイ２１０へも排出される。
【００１９】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２０】
図２は、図１に示す画像形成装置の電気的構成を示すブロック図である。本画像形成装置は、原稿画像取得部１１、操作画面記憶部１２、表示部１３、操作部１４、印刷部１５、及び制御部２０を備えている。原稿画像取得部１１は、図１に示す原稿読取り部５００から構成され、原稿載置部６０１或いはコンタクトガラス６０５に載置された原稿の画像を読取り、原稿画像を取得する。
【００２１】
操作画面記憶部１２は、ユーザが本画像形成装置を操作する際に表示部１３に表示される種々の操作画面を記憶している。表示部１３は、図１に示す操作パネル４０１から構成される。操作部１４は、図１に示す操作部４００から構成され、本画像形成装置の動作モードを指定する操作指令、原稿画像の倍率を指定する操作指令、原稿画像を印刷する記録紙のサイズを指定する操作指令等を受付ける。
【００２２】
制御部２０は、ＣＰＵ、制御プログラムを記憶するＲＯＭ、ＣＰＵの作業領域として使用されるＲＡＭ等から構成され、ＣＰＵが制御プログラムを実行することにより、モード設定部２１、倍率設定部２２、原稿サイズ変更部２３、原稿サイズ検出部２４、記録紙選定部２５、表示制御部２６、印刷制御部２７、及び原稿サイズ設定部２８として機能する。
【００２３】
モード設定部２１は、操作部１４により受付けられた動作モードを指定するためのユーザからの操作指令に基づいて、本画像形成装置の動作モードを最適サイズモード及び原稿同一サイズモードのうちいずれか一方のモードに設定する。
【００２４】
最適サイズモードは、ユーザにより指定された倍率に応じて、適切なサイズの記録紙を選定し、選定した記録紙に原稿画像を印刷するモードである。原稿同一サイズモードは、ユーザにより指定された倍率に関わらず、原稿と同一サイズの記録紙に原稿画像を印刷するモードである。
【００２５】
倍率設定部２２は、操作部１４を介してユーザにより入力された原稿画像の倍率を指定する操作指令に基づいて、原稿画像の倍率を設定する。原稿サイズ変更部２３は、倍率設定部２２により設定された原稿画像の倍率にしたがって、原稿画像取得部１１により取得された原稿画像のサイズを変更する。
【００２６】
原稿サイズ検出部２４は、コピー対象となる原稿が原稿載置部６０１に載置されている場合は、原稿検出センサ６０６が記録紙の先端を検出してから終端を検出するまでの時間を測定し、測定した時間に予め定められた原稿搬送速度を乗じて原稿の搬送方向のサイズを算出し、算出した搬送方向のサイズと、記録紙の幅方向に配列された複数の原稿検出センサ６０６のうち、原稿を検出した原稿検出センサ６０６の検出パターンとから、原稿がＡ３、Ａ４、Ｂ３等の定形サイズのうち、どの定形サイズに該当するかを判定することにより原稿のサイズを検出する。
【００２７】
また、原稿サイズ検出部２４は、原稿がコンタクトガラス６０５に載置されている場合は、コンタクトガラス６０５の裏面に配列された複数の原稿検出センサ６０７のうち、原稿を検出した原稿検出センサ６０７の検出パターンから原稿のサイズを検出する。
【００２８】
記録紙選定部２５は、最適サイズモードが設定されている場合は、原稿サイズ変更部２３によりサイズが変更された原稿画像に対し、余白部分の面積が最小となるサイズの記録紙を、原稿画像を印刷する記録紙として選定する。また、記録紙選定部２５は、原稿同一サイズモードが設定されている場合は、原稿サイズ設定部２８により設定された原稿のサイズと同一サイズの記録紙を、原稿画像を印刷する記録紙として選定する。
【００２９】
表示制御部２６は、操作画面記憶部１２に記憶されている種々の操作画面を読み出し表示部１３に表示させる。印刷制御部２７は、原稿サイズ変更部２３によりサイズが変更された原稿画像が記録紙に印刷されるように印刷部１５を制御する。操作部１４及び原稿サイズ設定部２８は、操作部１４を介して入力されたユーザによる操作指令に従って、読取り対象となる原稿のサイズを設定する。
【００３０】
本実施の形態では、原稿画像取得部１１が画像取得手段に相当し、操作部１４、倍率設定部２２、及び原稿サイズ変更部２３がサイズ変更手段に相当し、原稿サイズ設定部２８が原稿サイズ設定手段に相当し、記録紙選定部２５が記録紙選定手段に相当し、印刷制御部２７及び印刷部１５が印刷手段に相当し、モード設定部２１がモード設定手段に相当し、表示部１３及び表示制御部２６が表示手段に相当する。
【００３１】
図３は本画像形成装置の動作を示すフローチャートである。ステップＳ１において、操作部１４が本画像形成装置の動作モードを原稿同一サイズモードに指定するための操作指令を受付けた場合（Ｓ１でＹＥＳ）、モード設定部２１は、動作モードを原稿同一サイズモードに設定する（Ｓ２）。一方、操作部１４が本画像形成装置の動作モードを原稿同一サイズモードに指定するための操作指令を受付けず、他の動作モードを指定するための操作指令を受付けた場合（Ｓ１でＮＯ）、処理が終了される。
【００３２】
図５はユーザが動作モードを同一サイズモードに設定する際に表示部１３に表示される操作画面を示した図面である。図５に示す操作画面は、以下の手順を経て表示される。まず、ユーザにより操作部１４に配設されたシステムボタン（図略）が押されると、表示制御部２６は図７に示す操作画面を表示部１３に表示させる。
【００３３】
図７に示す操作画面には、本画像形成装置に対して種々の設定を行うための種々の操作ボタンが表示されている。そして、図７に示す操作画面において、「コピー初期設定」のボタンが押されると、表示制御部２６は、図８に示す操作画面を表示部１３に表示させる。
【００３４】
図８に示す操作画面には、複数の設定項目及び各設定項目に対する設定値が表示されている。設定項目の欄には、用紙選択、自動用紙選択設定、用紙種類の指定等の項目が表示されている。また図８に示す操作画面の右側には、上矢印マークが付されたボタンと下矢印マークが付されたボタンとが表示されている。ユーザは、両ボタンを押すことで、設定項目の欄に表示された設定項目のうち、いずれかの設定項目を選択することができる。そして、ユーザは、設定項目を選択した状態で、画面右下に表示された設定値変更と付されたボタンを押す。すると、表示制御部２６により図５（ａ）に示す操作画面が表示部１３に表示されることになる。
【００３５】
図５（ａ）に示す操作画面には５種類の設定項目と各設定項目に対する設定値とが表示されている。図５（ａ）の１段目に示すように自動用紙選択設定の設定項目に対して最適サイズの設定値が設定されており、現在、画像形成装置の動作モードが最適サイズモードに設定されていることが分かる。図５（ａ）に示す操作画面の右側の「設定値変更」と表示されたボタンが押されると、表示制御部２６は、図５（ｂ）に示す操作画面を表示部１３に表示させる。
【００３６】
図５（ｂ）に示す操作画面では、自動用紙選択設定との標題が付され、画面中央には「最適サイズ」と記載されたボタンＢ１及び「原稿サイズと同じ」と記載されたボタンＢ２が表示されている。ユーザによりボタンＢ１が押されたとき、操作部１４は動作モードを最適サイズモードに設定するための操作指令を受付ける。これにより、モード設定部２１は動作モードを最適サイズモードに設定する。一方、ユーザによりボタンＢ２が押されると、操作部１４は動作モードを原稿同一サイズモードに設定するための操作指令を受付ける。これにより、モード設定部２１は動作モードを同一サイズモードに設定する。
【００３７】
図５（ｂ）に示す操作画面の右上の閉じると記載されたボタン、又は元に戻すと記載されたボタンが押されると、表示制御部２６は図５（ａ）に示す操作画面を表示部１３に表示させる。
【００３８】
図３に示すステップＳ３において、操作部１４が読取り対象となる原稿のサイズを設定するためのユーザによる操作指令を受付けると（Ｓ３でＹＥＳ）、原稿サイズ設定部２８は読取り対象となる原稿のサイズを操作部１４が受付けた原稿のサイズに設定する（Ｓ４）。
【００３９】
一方、ステップＳ３において、操作部１４が読取り対象となる原稿のサイズを設定するためのユーザによる操作指令を受け付けない場合（Ｓ３でＮＯ）、原稿サイズ設定部２８は、原稿検出センサ６０６，６０７により検出された原稿のサイズを記録紙のサイズとして設定し（Ｓ１２）、処理をステップＳ５に進める。
【００４０】
この場合、表示制御部２６は原稿のサイズを設定するための図６に示す操作画面を表示部１３に表示させる。図６に示す操作画面は、以下のようにして表示される。図４は、表示部１３に表示されるデフォルトの操作画面の一例を示した図面である。図４に示す操作画面において、下部に配置された機能リストと付されたボタンが押されると、表示制御部２６は、画像形成装置に対して種々の設定を行うための種々のボタンが配置された図略の操作画面を表示部１３に表示させる。
【００４１】
この図略の操作画面には原稿サイズ設定と付されたボタンが配置されている。そして、ユーザは、この原稿サイズ設定と付されたボタンを押す。すると、表示制御部２６により表示部１３に図６に示す操作画面が表示されることとなる。
【００４２】
図６に示す操作画面はＡ４，Ｂ５，Ａ３，Ｂ４，Ａ５と記載された５個のボタンが表示されている。操作部１４が例えばＡ４のボタンを押すユーザからの操作指令を受付けたとき、原稿サイズ設定部２８は、読取り対象となる原稿のサイズをＡ４に設定する。このようにユーザはこれら５個のボタンの中からいずれかのボタンを押すことにより読取り対象となる原稿のサイズを設定する。
【００４３】
ステップＳ５において、記録紙選定部２５は原稿サイズ設定部により設定された原稿と同一サイズの記録紙を出力する記録紙として選定する。ここで、ステップＳ５の処理が実行される前に、原稿載置部６０１或いはコンタクトガラス６０５に原稿が載置されている場合、原稿サイズ検出部２４は原稿のサイズを検出することとなるが、本実施の形態ではユーザが設定した原稿のサイズを出力する記録紙のサイズとして選定する。
【００４４】
ステップＳ６において、操作部１４が、原稿画像の倍率を指定するためのユーザからの操作指令を受付けた場合（Ｓ６でＹＥＳ）、倍率設定部２２は、操作部１４が受付けた操作指令が示す倍率を、原稿画像の倍率として設定し（Ｓ７）、操作部１４が、原稿画像の倍率を指定するためのユーザからの操作指令を受付けなかった場合（Ｓ６でＮＯ）、処理がステップＳ９へ進められる。この場合、倍率は１倍に設定される。
【００４５】
ステップＳ８において、原稿サイズ変更部２３は、ステップＳ７で設定された倍率により原稿画像のサイズを変更する。ステップＳ９において、表示制御部２６は、原稿サイズ変更部２３によりサイズが変更された原稿画像を、記録紙選定部２５により選定された記録紙で印刷した状態を印刷前にユーザに知らせるためのプレビュー画像を生成し、表示部１３に表示させる。ステップＳ１０において、操作部１４がユーザより印刷を許可する操作指令を受付けた場合（Ｓ１０でＹＥＳ）、記録紙選定部２５は、選定したサイズの記録紙を収納する給紙カセット２０１に対応する給紙ローラ２０２を駆動させ、印刷部１５へと記録紙を搬送し、印刷制御部２７は、原稿サイズ変更部２３によりサイズが変更された原稿画像が搬送された記録紙に印刷されるように印刷部１５を制御する（Ｓ１１）。一方、ステップＳ１０において、操作部１４が印刷を許可しない操作指令を受付けた場合（Ｓ１０でＮＯ）、処理がステップＳ３に戻される。
【００４６】
図９はユーザが原稿載置部６０１或いはコンタクトガラス６０５に原稿を載置した後で原稿の倍率を設定したときの画像形成装置の動作を示すフローチャートである。まず、ステップＳ２１において、操作部１４が本画像形成装置の動作モードを原稿同一サイズモードに指定するための操作指令を受付けた場合（Ｓ２１でＹＥＳ）、モード設定部２１は、動作モードを原稿同一サイズモードに設定する（Ｓ２２）。一方、操作部１４が本画像形成装置の動作モードを原稿同一サイズモードに指定するための操作指令を受付けず、他の動作モードを指定するための操作指令を受付けた場合（Ｓ２１でＮＯ）、処理が終了される。
【００４７】
ステップＳ２３において、ユーザにより原稿載置部６０１或いはコンタクトガラス６０５に原稿が載置され、原稿サイズ検出部２４が、載置された原稿のサイズを検出した場合（Ｓ２３でＹＥＳ）、処理がステップＳ２４に進められ、ユーザにより原稿載置部６０１或いはコンタクトガラス６０５に原稿が載置されておらず、原稿サイズ検出部２４が、載置された原稿のサイズを検出しなかった場合（Ｓ２３でＮＯ）、処理がステップＳ２３に戻される。ステップＳ２４において、原稿画像取得部１１は、原稿載置部６０１或いはコンタクトガラス６０５に載置された原稿を読取り原稿画像を取得する。
【００４８】
ステップＳ２５において、操作部１４が、原稿画像の倍率を指定するためのユーザからの操作指令を受付けた場合（Ｓ２５でＹＥＳ）、倍率設定部２２は、操作部１４が受付けた操作指令が示す倍率を、原稿画像の倍率として設定し（Ｓ２６）、操作部１４が、原稿画像の倍率を指定するためのユーザからの操作指令を受付けなかった場合（Ｓ２５でＮＯ）、処理がステップＳ２９へ進められる。この場合、倍率設定部２２は、原稿画像の倍率を１倍に設定する。
【００４９】
ステップＳ２７において、原稿サイズ変更部２３は、ステップＳ２４で設定された倍率により原稿画像のサイズを変更する。ステップＳ２８において、記録紙選定部２５は、サイズが変更された原稿画像を印刷する記録紙のサイズを選定する。ここでは、原稿同一サイズモードが設定されているため、記録紙選定部２５は、原稿サイズ検出部２４により検出された原稿と同一サイズの記録紙を、原稿画像を印刷する記録紙として選定する。
【００５０】
ステップＳ２９において、表示制御部２６は、原稿サイズ変更部２３によりサイズが変更された原稿画像を、記録紙選定部２５により選定された記録紙で印刷した状態を印刷前にユーザに知らせるためのプレビュー画像を生成し、表示部１３に表示させる。ステップＳ３０において、操作部１４がユーザより印刷を許可する操作指令を受付けた場合（Ｓ３０でＹＥＳ）、記録紙選定部２５は、選定したサイズの記録紙を収納する給紙カセット２０１に対応する給紙ローラ２０２を駆動させ、印刷部１５へと記録紙を搬送し、印刷制御部２７は、原稿サイズ変更部２３によりサイズが変更された原稿画像が搬送された記録紙に印刷されるように印刷部１５を制御する（Ｓ３１）。一方、ステップＳ３０において、操作部１４が印刷を許可しない操作指令を受付けた場合（Ｓ３０でＮＯ）、処理がステップＳ２３に戻される。
【００５１】
以上説明したように本画像形成装置によれば、ユーザにより原稿のサイズが設定されると、設定されたサイズと同一サイズの記録紙に原稿画像が印刷されるため、ユーザは別途記録紙のサイズを設定する作業を行わなくとも、原稿と同一サイズの記録紙に原稿画像を印刷させることができる。また、原稿のサイズを設定することにより、実際に読取られる原稿とは異なり、かつ、所望するサイズの記録紙に原稿画像を印刷させることができる。
【００５２】
なお、本実施の形態では、プレビュー画像を表示し、印刷を許可する操作指令が入力された場合に、記録紙に原稿画像を印刷する態様を採用したが、これに限定されず、プレビュー画像を表示せず、かつ、ユーザに印刷を許可する操作指令を入力させることなく、原稿画像を記録紙に印刷させてもよい。この場合、ユーザに対する操作負担を軽減させることができる。
【００５３】
また、本実施の形態において、記録紙選定部２５は、同一サイズの記録紙が用紙切れを起こしている、或いは同一サイズの記録紙を収納する給紙カセットを備えていない場合（原稿が定形サイズで内場合も含む）は、原稿のサイズに最も近いサイズの記録紙を、原稿画像を印刷する記録紙として選定してもよい。ここで、記録紙選定部２５は、残量センサ２１２から出力される検出信号を受信し、受信した検出信号のレベルから用紙切れを起こしているか否かを判定する。また、原稿の面積を求め、当該面積に最も近いサイズの記録紙を選定するようにしてもよい。或いは、原稿の面積よりも面積が大きなサイズの記録紙を選定するようにしてもよい。
【図面の簡単な説明】
【００５４】
【図１】本実施の形態による画像形成装置の機械的構成を主に示す側面概略図である。
【図２】本実施の形態による画像形成装置の電気的構成を示すブロック図である。
【図３】本実施の形態による画像形成装置の動作を説明するためのフローチャートである。
【図４】ユーザが動作モードを同一サイズモードに設定する際に表示部に表示される操作画面を示した図面である。
【図５】ユーザが動作モードを同一サイズモードに設定する際に表示部に表示される操作画面を示した図面である。
【図６】ユーザが同一サイズモードにおいて読取り対象となる原稿のサイズを設定する際に表示部に表示される操作画面を示している。
【図７】操作画面の一例を示した図面である。
【図８】操作画面の一例を示した図面である。
【図９】本画像形成装置の動作を示すフローチャートである。
【符号の説明】
【００５５】
１１  原稿画像取得部
１２  操作画面記憶部
１３  表示部
１４  操作部
１５  印刷部
２０  制御部
２１  モード設定部
２２  倍率設定部
２３  原稿サイズ変更部
２４  原稿サイズ検出部
２５  記録紙選定部
２６  表示制御部
２７  印刷制御部
２８  原稿サイズ設定部
【図１】
2006208969.tif 000003
【図２】
2006208969.tif 000004
【図３】
2006208969.tif 000005
【図４】
2006208969.tif 000006
【図５】
2006208969.tif 000007
【図６】
2006208969.tif 000008
【図７】
2006208969.tif 000009
【図８】
2006208969.tif 000010
【図９】
2006208969.tif 000011